(57)【特許請求の範囲】
【請求項１】
建物の固定部材又は扉の一方に取り付けられるアーム係止具と、他方に略水平方向に回動するように取り付けられるアームとからなるドアガードにおいて、アームを、被枢着部を形成した金属材料からなる横板部材と、扉を所定角度開いたときにアーム係止具が当接するストッパ部を曲げ加工により形成した金属材料からなる縦板部材とを、溶接により一体化して形成するとともに、アーム係止具を、アーム係止具の抜止片がアームの縦板部材を抜け止め状に保持しながら、アームの基端側から先端側に向けて相対移動し、扉が所定角度開いたときにアームの縦板部材のストッパ部がアーム係止具に当接することによってそれ以上の開扉が阻止されるようにし、かつ、アーム係止具の抜止片に、解錠操作することにより抜止片を直接可動にする錠部材を配設し、扉を開いた状態で、アームのアーム係止具への係止及び係止の解除を可能にしたことを特徴とするドアガード。
【請求項２】
建物の固定部材又は扉の一方に取り付けられるアーム係止具と、他方に略水平方向に回動するように取り付けられるアームとからなるドアガードにおいて、アームを、被枢着部を形成した金属材料からなる横板部材と、扉を所定角度開いたときにアーム係止具が当接するストッパ部を曲げ加工により形成した金属材料からなる縦板部材とを、溶接により一体化して形成するとともに、アーム係止具を、アーム係止具の抜止片がアームの縦板部材を抜け止め状に保持しながら、アームの基端側から先端側に向けて相対移動し、扉が所定角度開いたときにアームの縦板部材のストッパ部がアーム係止具に当接することによってそれ以上の開扉が阻止されるようにし、かつ、アーム係止具の抜止片に、選択的に押し操作することにより抜止片を直接可動にする複数個の押釦を配設し、扉を開いた状態で、アームのアーム係止具への係止及び係止の解除を可能にしたことを特徴とするドアガード。
【発明の詳細な説明】
【技術分野】
【０００１】
本発明は、建物の固定部材又は扉の一方に取り付けられるアーム係止具と、他方に略水平方向に回動するように取り付けられるアームとからなるドアガードに関するものである。
【背景技術】
【０００２】
従来、所定角度以上の開扉を阻止するために、建物の固定部材又は扉の一方に取り付けられるアーム係止具と、他方に略水平方向に回動するように取り付けられるアームとからなるドアガードが汎用されている。
【０００３】
ところで、このドアガードは、通常、先端を大径に形成したアーム係止具と、このアーム係止具が挿通されるＵ字状のアームとで構成するようにしている（例えば、特許文献１及び２参照）。
このうち、Ｕ字状のアームは、ロストワックス法やダイキャスト法による鋳造製品が汎用されているが、製品強度及び製造コストの点で問題があった。
【０００４】
【特許文献１】登録実用新案第３０２７９５１号公報
【特許文献２】特開平９−２９１７４２号公報
【発明の開示】
【発明が解決しようとする課題】
【０００５】
本発明は、上記従来のドアガードの有する問題点に鑑み、アームの製品強度が大きく、製造コストを低廉化できるドアガードを提供することを第１の目的とする。
【０００６】
また、本発明は、扉を開いた状態で、アームのアーム係止具への係止及び係止の解除を可能にすることにより、補助錠の機能を持たせることができるようにしたドアガードを提供することを第２の目的とする。
【課題を解決するための手段】
【０００７】
上記第１及び第２の目的を達成するため、本発明のドアガードは、建物の固定部材又は扉の一方に取り付けられるアーム係止具と、他方に略水平方向に回動するように取り付けられるアームとからなるドアガードにおいて、アームを、被枢着部を形成した金属材料からなる横板部材と、扉を所定角度開いたときにアーム係止具が当接するストッパ部を曲げ加工により形成した金属材料からなる縦板部材とを、溶接により一体化して形成するとともに、アーム係止具を、アーム係止具の抜止片がアームの縦板部材を抜け止め状に保持しながら、アームの基端側から先端側に向けて相対移動し、扉が所定角度開いたときにアームの縦板部材のストッパ部がアーム係止具に当接することによってそれ以上の開扉が阻止されるようにし、かつ、アーム係止具の抜止片に、解錠操作することにより抜止片を直接可動にする錠部材を配設し、扉を開いた状態で、アームのアーム係止具への係止及び係止の解除を可能にしたことを特徴とする。
【０００８】
また、同じ目的を達成するため、本発明のドアガードは、建物の固定部材又は扉の一方に取り付けられるアーム係止具と、他方に略水平方向に回動するように取り付けられるアームとからなるドアガードにおいて、アームを、被枢着部を形成した金属材料からなる横板部材と、扉を所定角度開いたときにアーム係止具が当接するストッパ部を曲げ加工により形成した金属材料からなる縦板部材とを、溶接により一体化して形成するとともに、アーム係止具を、アーム係止具の抜止片がアームの縦板部材を抜け止め状に保持しながら、アームの基端側から先端側に向けて相対移動し、扉が所定角度開いたときにアームの縦板部材のストッパ部がアーム係止具に当接することによってそれ以上の開扉が阻止されるようにし、かつ、アーム係止具の抜止片に、選択的に押し操作することにより抜止片を直接可動にする複数個の押釦を配設し、扉を開いた状態で、アームのアーム係止具への係止及び係止の解除を可能にしたことを特徴とする。
【発明の効果】
【０００９】
本発明のドアガードによれば、建物の固定部材又は扉の一方に取り付けられるアーム係止具と、他方に略水平方向に回動するように取り付けられるアームとからなるドアガードにおいて、アームを、被枢着部を形成した金属材料からなる横板部材と、扉を所定角度開いたときにアーム係止具が当接するストッパ部を曲げ加工により形成した金属材料からなる縦板部材とを、溶接により一体化して形成することにより、アームの製品強度が大きく、製造コストを低廉化できるドアガードを提供することができる。
【００１０】
また、アーム係止具のアームの縦板部材を抜け止め状に保持する抜止片を可動に構成して、扉を開いた状態で、アームのアーム係止具への係止及び係止の解除を可能にすることにより、ドアガードに補助錠の機能を持たせることができる。
【００１１】
また、アーム係止具のアームの縦板部材を抜け止め状に保持する抜止片に、解錠操作することにより抜止片を可動にする錠部材を配設することにより、ドアガードに施錠することができる。
【００１２】
また、アーム係止具のアームの縦板部材を抜け止め状に保持する抜止片に、選択的に押し操作することにより抜止片を可動にする複数個の押釦を配設することにより、ドアガードに簡易に施錠することができる。
【発明を実施するための最良の形態】
【００１３】
以下、本発明のドアガードの実施の形態を、図面に基づいて説明する。
【００１４】
図１に、本発明のドアガードの第１実施例を示す。
このドアガードは、建物の固定部材又は扉の一方に取り付けられるアーム係止具１と、他方に略水平方向に回動するように取り付けられるアーム２とからなり、このうち、アーム２を、被枢着部２１ａを形成した金属材料からなる横板部材２１と、一端側に扉を所定角度開いたときにアーム係止具１が当接するストッパ部２２ａを曲げ加工により形成するとともに、他端側に先端の幅が漸次狭くなる導入部２２ｂを形成した金属材料からなる縦板部材２２とを、溶接（溶接部Ｗ）により一体化して形成するようにしたものである。
【００１５】
この場合において、アーム２を構成する横板部材２１及び縦板部材２２は、所定厚さの鋼やステンレス鋼の板材からなり、これを所定形状に切断するとともに、縦板部材２２の端部を曲げ加工してストッパ部２２ａを形成した後、スポット溶接等の溶接（溶接部Ｗ）により一体化するようにする。
このように、アーム２を、被枢着部２１ａを形成した金属材料からなる横板部材２１と、扉を所定角度開いたときにアーム係止具１が当接するストッパ部２２ａを曲げ加工により形成した金属材料からなる縦板部材２２とを、溶接（溶接部Ｗ）により一体化して形成することにより、アーム２の製品強度が大きく、製造コストを低廉化できるドアガードを提供することができる。
【００１６】
アーム２は、横板部材２１の被枢着部２１ａを、建物の固定部材又は扉に、枢着部材２３を介して、略水平方向に回動するように取り付けられる。
枢着部材２３には、必要に応じて、カバー部材２４を設けることができる。
【００１７】
アーム係止具１は、アーム２の縦板部材２２を抜け止め状に保持する抜止片１１を備え、建物の固定部材又は扉に取り付けられる。
【００１８】
ところで、本実施例においては、横板部材２１と縦板部材２２とを溶接（溶接部Ｗ）により一体化してアーム２の断面形状を略Ｔ字状に形成するようにしたが、アーム２の断面形状は、これに限定されず、例えば、図２に示す第２実施例のように、アーム２の断面形状を略Ｌ字状に形成するようにすることもできる。
【００１９】
このように、上記各実施例においては、アーム２の縦板部材２２を抜け止め状に保持する抜止片１１を固定して備えたアーム係止具１を用い、通常位置（閉扉位置）からアーム係止具１側のガード位置にアーム２をセットした状態で開扉することによって、アーム係止具１の抜止片１１はアーム３の縦板部材２２を抜け止め状に保持しながら、アーム２の基端側から先端側に向けて相対移動し、扉が所定角度開いたときにアーム３の縦板部材２２のストッパ部２２ａがアーム係止具１に当接することによってそれ以上の開扉が阻止される。
【００２０】
そして、上記のように、アーム２の縦板部材２２を抜け止め状に保持する抜止片１１を固定して備えたアーム係止具１（参考例）を用いるほか、アーム２の縦板部材２２を抜け止め状に保持する抜止片１１を可動に構成して、扉を開いた状態で、アーム２のアーム係止具１への係止及び係止の解除を可能に構成することができる。
これにより、外出時等に外側からアーム２のアーム係止具１への係止及び係止の解除ができるため、ドアガードに補助錠の機能を持たせることができる。
【００２１】
より具体的には、図３に示すように、アーム係止具１のアーム２の縦板部材２２を抜け止め状に保持する抜止片１１に、解錠操作することにより抜止片１１を揺動可能にする錠部材１２を配設することにより、ドアガードに施錠するようにすることができる。
なお、このアーム係止具１は、上記第２実施例の断面形状を略Ｌ字状に形成したアーム２用のものである。
【００２２】
また、図４に示すように、アーム係止具１のアーム２の縦板部材２２を抜け止め状に保持する抜止片１１に、解錠操作することにより抜止片１１を摺動可能にする錠部材１２を配設することにより、ドアガードに施錠するようにすることができる。
なお、このアーム係止具１は、上記第１実施例の断面形状を略Ｔ字状に形成したアーム２用のものである。
【００２３】
また、図５に示すように、アーム係止具１のアーム２の縦板部材２２を抜け止め状に保持する抜止片１１に、選択的に押し操作することにより抜止片１１を揺動可能にする複数個の押釦１３（この場合、すべての押釦１３を押し操作しても抜止片１１は揺動可能とならない）を配設することにより、ドアガードに簡易に施錠することができる。
なお、このアーム係止具１は、上記第１実施例の断面形状を略Ｔ字状に形成したアーム２用のものである。
【００２４】
以上、本発明のドアガードについて、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２５】
本発明のドアガードは、アームの製品強度が大きく、製造コストを低廉化できるという特性を有していることから、汎用のドアガードの用途に広く用いることができる。
【図面の簡単な説明】
【００２６】
【図１】本発明のドアガードの第１実施例を示し、（ａ）は平面図、（ｂ）は正面図、（ｃ）は底面図、（ｄ）は枢着部材の正面図、（ｅ）は枢着部材の底面図、（ｆ）はアーム係止具の正面図、（ｇ）はアームを係止した状態のアーム係止具の側面断面図、（ｈ）はカバー部材の正面図、（ｉ）はカバー部材の側面図である。
【図２】本発明のドアガードの第２実施例を示し、（ａ）は正面図、（ｂ）はアームをアーム係止具側のガード位置にセットした状態の正面図、（ｃ）は底面図、（ｄ）は枢着部材の正面図、（ｅ）はアーム係止具の側面図である。
【図３】抜止片を可動に構成したアーム係止具を示し、（ａ）は係止状態の正面図、（ｂ）は係止解除状態の正面図、（ｃ）は係止状態の側面断面図である。
【図４】抜止片を可動に構成したアーム係止具を示し、（ａ）は係止状態の側面図、（ｂ）は係止解除状態の正面図、（ｃ）は係止解除状態の側面断面図である。
【図５】抜止片を可動に構成したアーム係止具を示し、（ａ）は係止状態の正面図、（ｂ）は係止解除状態の正面図、（ｃ）は係止状態の側面断面図である。
【符号の説明】
【００２７】
１    アーム係止具
１１  抜止片
１２  錠部材
１３  押釦
２    アーム
２１  横板部材
２１ａ  被枢着部
２２  縦板部材
２２ａ  ストッパ部
２２ｂ  導入部
２３  枢着部材
２４  カバー部材
Ｗ    溶接部
【図１】
0005219066.tif 000002
【図２】
0005219066.tif 000003
【図３】
0005219066.tif 000004
【図４】
0005219066.tif 000005
【図５】
0005219066.tif 000006